(57)【要約】【課題】良質な衛星放送の信号をヘッドエンドから複数の加入者側端末装置へ送出でき、第１アンテナの地点が集中豪雨になって衛星放送信号のＣ／Ｎが降雨減衰により低下した場合でも、良質な衛星放送の信号をヘッドエンドから伝送できるＣＡＴＶシステムを提供する。【解決手段】第１アンテナで受信した信号をヘッドエンドに受入れ、伝送線を介して複数の端末装置へ上記放送信号を伝送するようにし、第１アンテナの地点とは気象条件が変化する地点に同じ信号を受信する第２アンテナを備え、ヘッドエンドの受入側には、第１アンテナからの受信信号と第２アンテナからの受信信号とを切替てヘッドエンドへ出力する為の切替手段を備え、第１アンテナからの受信信号を監視し、第１アンテナからの受信信号の状態が基準値より低くなったら切り替えて、第１アンテナからの受信信号と同一の第２アンテナからの受信信号を上記ヘッドエンドへ出力する。【選択図】    図１
2007181121.tif 000002
【特許請求の範囲】
【請求項１】
衛星放送の信号を受信する第１アンテナを備え、上記第１アンテナで受信した信号を上記ヘッドエンドに受け入れ、上記ヘッドエンドから伝送線を介して複数の端末装置へ上記放送信号を伝送するようにしたＣＡＴＶシステムにおいて、
上記第１アンテナを備える地点とは気象条件が変化する地点に上記衛星放送信号と同じ信号を受信する第２アンテナを備え、
上記ヘッドエンドの受け入れ側には、第１アンテナからの受信信号と上記第２アンテナからの受信信号とを切り替えて上記ヘッドエンドへ出力する為の切替手段を備え、
上記切替手段は、第１アンテナからの受信信号を監視し、
上記第１アンテナからの受信信号の状態が基準値より低くなったら、切り替えて、第１アンテナからの受信信号と同一の上記第２アンテナからの受信信号を上記ヘッドエンドへ出力するようにしたことを特徴とするＣＡＴＶシステム。
【請求項２】
衛星放送の信号を受信する第１アンテナを備え、上記第１アンテナで受信した信号を上記ヘッドエンドに受け入れ、上記ヘッドエンドから伝送線を介して複数の端末装置へ上記放送信号を伝送するようにしたＣＡＴＶシステムにおいて、
上記第１アンテナを備える地点とは気象条件が変化する地点に上記衛星放送信号と同じ信号を受信する第２アンテナを備え、
さらに、上記第１アンテナと第２アンテナとは気象条件が変化する地点に上記二つの衛星放送信号と同じ信号を受信する第３アンテナを備え、
上記ヘッドエンドの受け入れ側には、上記第１アンテナ、第２アンテナ、第３アンテナ夫々からの受信信号を切り替えて上記ヘッドエンドへ出力する為の切替手段を備え、
上記切替手段は、上記第１アンテナ、第２アンテナ、第３アンテナ夫々からの受信信号を監視し、
上記第１アンテナからの受信信号の状態が基準値より低くなったら、第２アンテナ及び第３アンテナからの受信信号の内の、状態が最も良好な第１アンテナからの受信信号と同一の受信信号を上記ヘッドエンドへ出力するようにしたことを特徴とするＣＡＴＶシステム。
【請求項３】
衛星放送の信号を受信する第１アンテナを備え、上記第１アンテナで受信した信号を上記ヘッドエンドに受け入れ、上記ヘッドエンドから伝送線を介してサービスエリア内の複数の端末装置へ上記放送信号を伝送するようにしたＣＡＴＶシステムにおいて、
上記第１アンテナを備える地点と同じサービスエリア内であって、第１アンテナを備える地点とは気象条件が変化する地点に上記衛星放送信号と同じ信号を受信する第２アンテナを備え、
上記ヘッドエンドの受け入れ側には、第１アンテナからの受信信号と上記第２アンテナからの受信信号とを切り替えて上記ヘッドエンドへ出力する為の切替手段を備え、
上記切替手段は、第１アンテナからの受信信号を監視し、
上記第１アンテナからの受信信号の状態が基準値より低くなったら、切り替えて、第１アンテナからの受信信号と同一の上記第２アンテナからの受信信号を上記ヘッドエンドへ出力するようにしたことを特徴とするＣＡＴＶシステム。
【請求項４】
衛星放送信号を受信する第１のアンテナからの受信信号を受入れる為の第１入力端子と、
第２のアンテナからの受信信号を受入れる為の第２入力端子と、
上記第１入力端子からの受信信号と、第２入力端子からの受信信号とを選択的に切替えて出力端子から端末装置へ向けて出力するようにした切替部とを備え、
さらに、上記第１のアンテナから第１入力端子へ入力される受信信号を入力する為の入力端子を備えていて、入力された上記受信信号のＣ／Ｎを検出し、そのＣ／Ｎを外部へ出力するようにした検出部を備え、
さらに、上記検出部からのＣ／Ｎを受入れ、そのＣ／Ｎに基づいて制御信号を上記切替部へ出力するようにした制御部を備える受信信号切替装置であって、
上記制御部は、上記第１のアンテナからの受信信号のＣ／Ｎが基準値より低くなったら、制御信号を出力して上記切替部を切替えて、上記第１のアンテナからの受信信号と同一の第２のアンテナからの受信信号を上記端末装置へ向けて出力するようにしたことを特徴とする受信信号切替装置。
【請求項５】
衛星放送信号を受信する第１のアンテナからの受信信号を受入れる為の第１入力端子と、
他の複数のアンテナからの受信信号を夫々受入れる為の複数の入力端子と、
上記第１入力端子からの受信信号と、他の複数の入力端子からの受信信号とを選択的に切替えて出力端子から端末装置へ向けて出力するようにしてある切替部とを備え、
さらに、上記第１のアンテナから第１入力端子へ入力される受信信号を入力する為の入力端子を備え、入力された受信信号のＣ／Ｎを検出し、そのＣ／Ｎを制御部へ出力するようにした検出部を備えさせると共に、
上記検出部とは別に複数の検出部を備えさせ、それらの複数の検出部には、夫々個別のアンテナからの受信信号を夫々入力する為の入力端子を備えさせ、夫々の入力端子に入力された受信信号のＣ／Ｎを夫々検出して、それらのＣ／Ｎを夫々制御部へ出力するようにしてある複数の検出部を備え、
さらに、上記検出部からのＣ／Ｎを受入れ、そのＣ／Ｎに基づいて制御信号を上記切替部へ出力するようにした制御部とを備える切替装置であって、
上記制御部は、上記第１のアンテナからの受信信号のＣ／Ｎが基準値より低くなったら、制御信号を出力して上記切替部を切替えて、他の複数のアンテナからの受信信号の内の、Ｃ／Ｎが最も良好な上記第１のアンテナからの受信信号と同一の受信信号を上記端末装置へ向けて出力するようにしたことを特徴とする受信信号切替装置。
【請求項６】
衛星放送の信号を受信する第１のアンテナと、常時は上記第１のアンテナで受信した信号を受け入れて、伝送線を介して複数の端末装置へ伝送するようにしたヘッドエンドと、上記衛星放送信号と同じ信号を受信する第２アンテナとを備え、
さらに、上記第１のアンテナに連なっている第１入力端子と、第２のアンテナに連なっている第２入力端子と、上記ヘッドエンドに連なっている出力端子とを備えている切替部を備え、
常時は上記第１のアンテナからの受信信号を切替部を介してヘッドエンドへ出力するようにし、
上記第１のアンテナからヘッドエンドへ向う信号のＣ／Ｎを監視して、
第１のアンテナからの受信信号のＣ／Ｎが基準値以下となった場合は、上記切替部において、上記第１のアンテナからの受信信号を切替えて、上記第１のアンテナからの受信信号と同一の第２のアンテナからの受信信号をヘッドエンドへ出力するようにしたことを特徴とする受信信号切替方法。
【請求項７】
同じ衛星放送の信号を受信する複数のアンテナと、それらのアンテナで受信した信号を受け入れて、伝送線を介して複数の端末装置へ伝送するようにしたヘッドエンドとを備え、
さらに、複数のアンテナに連なっている複数の入力端子と、上記ヘッドエンドに連なっている出力端子とを備えている切替部とを備え、
常時は上記のアンテナの内の一つからの受信信号を切替部を介してヘッドエンドへ出力するようにし、上記一つのアンテナからヘッドエンドへ向う信号のＣ／Ｎを監視して、そのアンテナからの受信信号のＣ／Ｎが基準値以下となった場合は、上記切替部において、上記一つのアンテナからの受信信号を切替えて、他の複数のアンテナからの受信信号の内の、Ｃ／Ｎが最も良好なアンテナからの受信信号を上記ヘッドエンドへ出力するようにしたことを特徴とする受信信号切替方法。
【発明の詳細な説明】
【技術分野】
【０００１】
本発明は、アンテナで受信した衛星放送の信号を、ヘッドエンドから伝送線を介して複数の端末装置へ放送信号を伝送するようにしたＣＡＴＶシステムに関する。
【背景技術】
【０００２】
従来のＣＡＴＶシステムは、ヘッドエンドの近くに衛星放送の信号を受信するアンテナを備え、ヘッドエンドに上記アンテナで受信した信号を受入れ、上記ヘッドエンドから伝送線を介して複数の加入者側端末装置へ上記放送信号を伝送するようにしていた。
【０００３】
【特許文献１】特開２００１−７８１８０公報
【発明の開示】
【発明が解決しようとする課題】
【０００４】
この従来のＣＡＴＶシステムでは、ヘッドエンドの近くに設置されているアンテナ（以下「第１アンテナ」ともいう）の地点が悪天候、例えば集中豪雨又は雷雨になって、アンテナで受信する衛星放送信号のＣ／Ｎ（ＣＮ比）が、降雨減衰により低下した場合、
Ｃ／Ｎが低下した信号がヘッドエンドに入力され、ヘッドエンドからは、Ｃ／Ｎの低下した放送信号が複数の加入者側端末装置へ向けて送出される。
上記Ｃ／Ｎの低下した信号を受信した視聴者側では、視聴する映像や音声にノイズが発生したり、映像がフリーズしてしまい、最悪、映像や音声が途切れてしまう。したがって視聴者（ユーザともいう）は、品質の良い衛星放送を視聴することができなくなるという問題点があった。
【０００５】
上記問題点の対策としては、例えば特許文献１で知られているように、降雨減衰等により受信電界強度（例えば、受信ビット誤り率や受信ＣＮ比など）が低下した場合に、受信機側で低階層受信ができるようにする階層化伝送方式がある。階層化伝送とは、番組の高品質の映像信号に加えて、電波が弱まっても安定に受信できるような番組の基本となる映像の信号を併せて伝送する方式である。この方式により、強い降雨減衰が生じても映像の基本となる信号のみを受信することにより画像内容が把握でき、放送の高い信頼性を維持することが可能となる。
しかし、階層化伝送方式による対策では、視聴者は、低階層の番組の基本となる映像を視聴することはできるが、衛星放送本来の正常な映像を見ることはできないという問題点があった。
さらに衛星放送信号のＣ／Ｎが低下し、低階層受信もできなくなった場合には、視聴者は衛星放送を全く視聴することができなくなってしまうという問題点があった。
また、CATVの場合，受信点とサービス地点とは異なる場合があり，受信点では集中豪雨であっても、サービス地点では天候の良い場合もあり、受信異常にユーザが気づかないため、CATVに対する不信感を与えてしまうという問題もあった。
【０００６】
本件出願の目的は、良質な衛星放送の信号をヘッドエンドから複数の加入者側端末装置へ向けて送出できるＣＡＴＶシステムを提供しようとするものである。
他の目的は、第１アンテナの地点が集中豪雨又は雷雨になって、第１アンテナで受信する衛星放送信号のＣ／Ｎが、降雨減衰により低下した場合でも、良質な衛星放送の信号をヘッドエンドから複数の加入者側端末装置へ向けて伝送できるＣＡＴＶシステムを提供しようとするものである。
他の目的及び利点は図面及びそれに関連した以下の説明により容易に明らかになるであろう。
【課題を解決するための手段】
【０００７】
本願発明におけるＣＡＴＶシステム１は、衛星放送の信号を受信する第１アンテナ15ａを備え、上記第１アンテナ15ａで受信した信号を上記ヘッドエンド９に受け入れ、上記ヘッドエンド９から伝送線11を介して複数の端末装置へ上記放送信号を伝送するようにしたＣＡＴＶシステム１において、上記第１アンテナ15ａの地点とは気象条件が変化する地点に上記衛星放送信号と同じ信号を受信する第２アンテナ15ｂを備え、上記ヘッドエンド９の受け入れ側には、第１アンテナ15ａからの受信信号と上記第２アンテナ15ｂからの受信信号とを切り替えて上記ヘッドエンド９へ出力する為の切替手段20を備え、上記切替手段20は、第１アンテナ15ａからの受信信号を監視し、上記第１アンテナ15ａからの受信信号の状態が基準値ａより低くなったら、切り替えて、第１アンテナ15ａからの受信信号と同一の上記第２アンテナ15ｂからの受信信号を上記ヘッドエンド９へ出力するようにしたものである。
【０００８】
また好ましくは、衛星放送の信号を受信する第１アンテナ15ａを備え、上記第１アンテナ15ａで受信した信号を上記ヘッドエンド９に受け入れ、上記ヘッドエンド９から伝送線11を介して複数の端末装置へ上記放送信号を伝送するようにしたＣＡＴＶシステム１において、上記第１アンテナ15ａの地点とは気象条件が変化する地点に上記衛星放送信号と同じ信号を受信する第２アンテナ15ｂを備え、さらに、上記第１アンテナ15ａと第２アンテナ15ｂとは気象条件が変化する地点に上記二つの衛星放送信号と同じ信号を受信する第３アンテナ15ｃを備え、上記ヘッドエンド９の受け入れ側には、上記第１アンテナ15ａ、第２アンテナ15ｂ、第３アンテナ15ｃ夫々からの受信信号を切り替えて上記ヘッドエンド９へ出力する為の切替手段20を備え、上記切替手段20は、上記第１アンテナ15ａ、第２アンテナ15ｂ、第３アンテナ15ｃ・・・15ｃ夫々からの受信信号を監視し、上記第１アンテナ15ａからの受信信号の状態が基準値より低くなったら、第２アンテナ15ｂ及び第３アンテナ15ｃからの受信信号の内の、状態が最も良好な第１アンテナから15ａの受信信号と同一の受信信号を上記ヘッドエンド９へ出力するようにしたものであればよい。
【発明の効果】
【０００９】
以上のように本願発明は、通常は、第１アンテナで受信した良質の衛星放送信号をヘッドエンドに受入れて、上記ヘッドエンドから良質な放送信号を端末装置へ向けて伝送するので、視聴者は衛星放送を視聴できる効果がある。
【００１０】
しかも本願発明は、第１アンテナの地点が集中豪雨又は雷雨になって、第１アンテナで受信する衛星放送信号のＣ／Ｎが、降雨減衰により低下した場合には、切替手段を切り替えて、第１アンテナの地点とは気象条件が変化する地点に備えた第２アンテナからの受信信号をヘッドエンドへ受入れ、上記ヘッドエンドから良質な衛星放送の信号を端末装置へ向けて伝送する。
従って、視聴者は、信号の供給を受ける第１アンテナで受信する信号のＣ／Ｎが低下していても、引続いて品質の良い衛星放送を視聴することができる使用上の効果がある。
【発明を実施するための最良の形態】
【００１１】
以下本願発明の実施の形態を図面を用いて説明する。図１乃至図５において、１はＣＡＴＶシステムを示す。まず、図１に示される上記ＣＡＴＶシステム１の設置例を説明する。
２は上記ＣＡＴＶシステム１によって、ＣＡＴＶ業者がそのサービスを提供するエリアを示す。５は上記サービスエリア２内に設置されている高層ビルを示す。ビル５の屋内には周知のヘッドエンド９が備えられている。15ａは衛星（例えばＢＳ又はＣＳ）６から送られてくる衛星放送の信号を受信するための第１アンテナを示し、上記ヘッドエンド９の近く、例えば電波条件が良いビル５の屋上に設置してある。
【００１２】
次に、15ｂは上記第１アンテナ15ａが受信する衛星放送信号と同じ信号を受信する第２アンテナを示し、上記第１アンテナ15ａの設置してある地点Ａとは離れた地点Ｂに設置されている。上記地点Ｂとしては、地点Ａから一級河川のような大きな河４を越え、気象条件が段階的に変化する地点（例えば数Km離れた地点）を図示したが、上記地点Ａと気象条件が異なる地点であればよく、例えば地点Ａから長距離（例えば数10Km）離れた地点でもよい。
【００１３】
次に、15ｃは上記第１アンテナ15ａが受信する衛星放送信号と同じ信号を受信する第３アンテナを示し、上記地点Ａ及び地点Ｂとは気象条件が異なる離れた地点Ｃに設置されている。上記地点Ｃとしては、図１に示されるように地点Ａから山３を越え、気象条件が段階的に変化する地点（例えば数Km離れた地点）で、集中豪雨の時間差が生じ得る地点である。上記地点Ａ及び地点Ｂとは相互に気象条件が地理的又は距離的に異なる地点であれば一層よい。なお、平野であっても地点Ａから長距離（例えば10Km〜数10Km）離れた地点であれば気象条件は異なり、集中豪雨の時間差があり、２つの地点における信号のＣ／Ｎは常時相互に異なる。
【００１４】
通常、降雨減衰をもたらすような集中豪雨は、昔から「馬の背をわける」という慣用句があるように局地的で、しかも短時間で移動する。
気象庁においては、アメダス観測地点を約１７ｋｍメッシュの単位で行っているが、局地的な集中豪雨の観測には広すぎるのではないかと言われている。このように集中豪雨は、狭い範囲を動く雷道や、凹凸の地形等によっては、さらに狭い範囲、例えば２〜３kmの範囲で発生し、移動する。本願発明は、地域固有の地形に基づき狭い範囲に発生する集中豪雨に対処できる発明であり、気象条件が段階的に変化する地点とは、河川、山、谷、ビルの谷間等を挟んで、相互に局地的な気象条件が相違する場所、特に地域の住人が気象条件の違いを体感し認知している場所、例えば陸地内部における海風の通り道、界雷の通り道などのことをいうものである。
【００１５】
上記のように設置されたＣＡＴＶシステム１の構成について詳しく説明する。
９は周知のヘッドエンドを示し、通常知られているように、第１アンテナ15ａからの受信信号を受け入れて、それに含まれている映像・音声信号を所定周波数帯のＣＡＴＶシステム１用の放送信号に変換し、その放送信号をＣＡＴＶシステム１の伝送線11へと送出するようにしてある。さらに、上記放送信号は伝送線11を介して複数の端末装置へ伝送されるようにしてある。
上記ヘッドエンド９としては、種々なものが知られている。例えば、特開２００１−３３９７０２公報に示されるように多種多彩な信号の処理機能を有しているものであってもよく、さらに加えて、上り下りの信号を処理する機能を有するものであっても良い。更に単純に衛星放送の信号のみを扱う機能を有するものであっても良い。
【００１６】
次に、図１、２に表れる15ａは上記地点Ａに備えられた第１アンテナを示し、16ａは第１アンテナ15ａに備えられた周知のコンバーターを示す。17は分配器を示し、上記第１アンテナ15ａからの受信信号は分配され、一つの分配出力は後述する切替部21へ出力され、もう一つの分配出力は後述する検出部22へ出力されるようにしてある。
【００１７】
次に、15ｂは上記地点Ｂに備えられた第２アンテナを示し、16ｂは第２アンテナ15ｂに備えられた周知のコンバーターを示す。
次に、18は上記第２アンテナ15ｂの近くに備えられた周知の光送信機を示し、19は上記ヘッドエンド９の近くに備えられた周知の光受信機を示す。12は上記光送信機18と光受信機19を結ぶ伝送線としての周知の光ファイバを示す。上記第２アンテナ15ｂで受信された衛星放送の信号は、上記光送信機18に入力されて光信号に変換される。その光信号は、光ファイバ12を介して伝送されるようにしてある。さらに、光受信機19に入力された光信号は、電気信号に変換された後、後述する切替手段20における切替部21に入力されるようにしてある。このように、地点Ｂに設置された第２アンテナ15ｂで受信された信号は、ヘッドエンド９近くまでの間を光ファイバ12を介して伝送されるので、伝送ロスを小さく良質な信号をヘッドエンド９に入力することができる。
なお、上記第２アンテナ15ｂを設置する地点は、地点Ｃを含む他の地点に設置してもよい。
【００１８】
次に、20は上記ヘッドエンド９の受入れ側に備えられている切替手段を示し、切替部21、検出部22、制御部23を備える。
上記切替部21は、広く知られているように接点21ｃを切替えることにより、入力端（第１入力端子）24と出力端26、又は入力端（第２入力端子）25と出力端26が選択的に接続されるように構成してある。なお、常態においては、図２（Ａ）に示されるように、第１アンテナ15ａからの受信信号が入力される入力端24と出力端26が接続された状態になっている。
次に、上記検出部22は、上記第１アンテナ15ａが受信する衛星放送信号の受信状態を監視・測定するためのものである。上記検出部22は、上記ヘッドエンド９に内蔵される上記受信信号から選局と復調を行うための公知の（例えば特開２００１−３３９７０２公報に示される）チューナーモジュールと同様に構成すればよい。上記検出部22は、入力端子から入力された受信信号の所定の受信チャンネル（トランスポンダー番号ともいう）の信号を選局し、その選局した信号のＣ／Ｎや、データの誤り率を示すビットエラー情報等のデータが出力されるように構成されている。
次に、上記制御部23は周知のマイクロコンピューター（以下マイコンともいう）から構成されている。上記制御部23は、上記検出部22から出力される受信信号の状態を示す信号、例えばＣ／Ｎのデータを取得し、それと上記制御部23に予め設定されているＣ／Ｎの基準値とを比較・判定するようにしてある。さらに、この比較判定した結果に基づいて上記切替部21に対する制御信号を生成し、切替制御するようにしてある。
【００１９】
次に、27ａ、27ｂは、衛星放送の信号を受信して上記ヘッドエンド９へ出力する為の単位受信系統を示す。27ａは上記第１アンテナ15ａから上記入力端24までの第１単位受信系統、27ｂは上記第２アンテナ15ｂから上記入力端25までの第２単位受信系統を示す。
【００２０】
上記構成のものにおいて、切替手段20における制御部23の処理を図２（Ｂ）を用いて詳しく説明する。
まず、監視する放送信号の受信チャンネル（トランスポンダー番号）の設定をする（S100）。なお、切替手段20における切替部21は初期状態（図２（Ａ）に示されるような状態）であるとする（S110）。よって、ヘッドエンド９の近くに設置してある第１アンテナ15ａで受信した衛星放送の信号がヘッドエンドに出力される。
次に、検出部22から受入れた受信信号のＣ／Ｎと基準値ａとを比較する（S120）。
受信信号のＣ／Ｎが基準値ａ以下でない場合（S120でNoの場合）は引続き上記S120の処理をくり返す。
このような処理により、第１アンテナ15ａからの信号のＣ／Ｎが良好な場合は、ヘッドエンド９の近くに設置した第１アンテナ15ａで受信した衛星放送の信号がヘッドエンドに出力され続ける。よって、上記ヘッドエンド９からは、良質な放送信号がＣＡＴＶシステム１のエリア２の端末装置へ伝送され続けるので、視聴者は品質のよい衛星放送を視聴できる。
【００２１】
一方、第１アンテナ15ａの受信信号のＣ／Ｎが基準値ａ以下の場合（S120でYesの場合）は、切替手段20における切替部21を切替える（S130）。具体的には、制御部23から制御信号を出力し、切替部21における入力端25と出力端26とが接続するように切替える。これにより、第１アンテナ15ａの地点Ａとは気象条件が異なる離れた地点Ｂに備えた第２アンテナ15ｂからの受信信号がヘッドエンド９に出力される。
次に、第１アンテナ15ａからの受信信号のＣ／Ｎと基準値ｂを比較し、受信信号のＣ／Ｎが基準値ｂ以上か否か判定する（S140）。第１アンテナ15ａからの受信信号のＣ／Ｎが基準値ｂ以上でない場合（S140でNoの場合）は引続き上記S140の処理をくり返す。
このような処理により、第１アンテナ15ａからの信号のＣ／Ｎが不良な場合（降雨減衰によってＣ／Ｎが低下している間）は、第１アンテナ15ａの地点Ａとは気象条件が異なる離れた地点Ｂに備えた第２アンテナ15ｂからの受信信号が、ヘッドエンド９に出力され続けることになる。従って、上記ヘッドエンド９からは、第１アンテナからの受信信号と同一で、かつ品質が良好な衛星放送の信号が端末装置に伝送されるので、ＣＡＴＶシステム１のエリア２の視聴者は、信号の供給を受けるヘッドエンド９の近くに設置された第１アンテナの設置地点Ａの集中豪雨で降雨減衰により信号のＣ／Ｎが低下した場合でも、引続いて品質の良い衛星放送を視聴することができる。
【００２２】
一方、第１アンテナ15ａからの受信信号のＣ／Ｎが基準値ｂ以上になった場合（S140でYesの場合）はS150へ進み、受信チャンネル（トランスポンダー番号）の変更があったか否か判断する。変更がない場合（S150でNoの場合）は、S110の処理に戻り、切替手段20における切替部21を切替える。具体的には、制御部23から制御信号を出力し、切替部21を図２（Ａ）に示される接点24と接点26との接続状態（初期設定状態）に切替える。そして、引続きS120以降の処理を繰り返し実行する。
一方、受信チャンネル（トランスポンダー番号）の変更があった場合（S150でYesの場合）は、S100の処理に戻り、監視する受信チャンネル（トランスポンダー番号）の設定をする。次に、切替手段20における切替部21を図２（Ａ）に示される接点24と接点26の接続状態に切替える（S110）。引続きS120以降の処理を繰り返し実行する。
このように、上記S140において、第１アンテナ15ａからの受信信号のＣ／Ｎを監視し、第１アンテナの地点Ａにおいて、天候が回復して第１アンテナ15ａからの受信信号Ｃ／Ｎが回復した場合には、切替手段20における切替部21を切替えて、ヘッドエンド９近くの第１アンテナ15ａで受信した良質な衛星放送の信号がヘッドエンド９に出力されることになる。
【００２３】
上記S100の処理において、受信チャンネル（トランスポンダー番号）を直接設定して監視する放送信号の受信チャンネルの設定をする例について説明した。この処理S100に
代えて、図２（Ｃ）に示されるS180及びS190の処理をするようにしてもよい。この場合の処理について説明する。
まず、衛星放送のネットワークＩＤ(サービスＩＤともいう)を設定する（S180）。
次に、指定されたネットワークＩＤに基づき、その放送データを含んだ放送信号を出力している受信チャンネル（トランスポンダ番号）を特定して換算する（S190）。上記検出部22へ出力し、検出部22が監視する放送信号の受信チャンネルを設定する。
なお、受信状態の判定基準としてＣ／Ｎを利用する例を示したが、図２（Ｃ）のように構成することにより，上記検出部22から得られる、データの誤り率を示すビットエラー情報から、ビットエラーレートを計算し、この値で上記切替部21を切替制御するように構成してもよい。
さらに、Ｃ／Ｎ及びビットエラーレートの両方を加味した値を用いて上記切替部21を切替制御するように構成してもよい。
【００２４】
次に、図３、４について説明する。図３、４は、第１アンテナ15ａから他の複数のアンテナに切替えるに当り、予め各アンテナで受信した受信信号のＣ／Ｎをも夫々監視しておき、複数のアンテナからの受信信号の内の最もＣ／Ｎの良い受信信号をヘッドエンド９へ入力できるようにするものである。それによって、視聴者が最良の品質の衛星放送を視聴できるようにするものである。
図３は、図２のＣＡＴＶシステム１とは、備えられる単位受信系統の数、切替手段20における切替部21の構成及び制御部23の制御方法の点において異なるＣＡＴＶシステム１を説明する為のものである。
なお、図３の説明に当たって、第１単位受信系統27ａについて、また第２単位受信系統27ｂ〜第ｎ単位受信系統27ｎにおける夫々の第２（又は第Ｎ）のアンテナ15ｂ（15n）から各光受信機19の間について、更にはヘッドエンド９及び切替手段20における検出部22等の構成については、前述した図２に対応する構成、機能の点において同一視し得ると考えられるので、図２に用いた符号と同一の符号を付して図２とは重複する説明を省略する。
【００２５】
図３において、分配器35は、第２アンテナ15ｂからの受信信号を２分配し、一方の分配出力は後述の検出部36へ、他方の分配出力は切替部21へ出力するようにしてある。
次に、検出部36は、上記分配器35から受入れる受信信号のＣ／Ｎを検出し、その検出したＣ／Ｎのデータを後述の制御部30へ出力するようにしてある。
次に、第Ｎ単位受信系統27ｎ等は、上記第２単位受信系統27ｂと同じ構成のものを示す。
次に、30は周知のマイコンから構成されている制御部を示す。上記制御部30は、切替手段20における検出部22から出力される受信信号のＣ／Ｎのデータを取得し、それらと上記制御部30に予め設定されているＣ／Ｎの基準値とを比較・判定するようにしてある。そして、その結果に基づいて上記切替部21に対する制御信号を生成し、出力するようにしてある。さらに、上記制御部30は、上記複数の検出部36・・・・36ｎからのＣ／Ｎのデータを取得し、それらのＣ／Ｎデータを相互に比較・判定するようにしてある。その結果に基づいて、上記複数のＣ／Ｎのデータの内、常に最良のＣ／Ｎデータを選定して上記切替部21を作動させる。その結果、視聴者に対しては、多数のＣ／Ｎのデータの内の最良のデータに係る信号を選択して提供することができる。
なお、上記制御部30の機能としては、上記複数の検出部36・・・・36ｎから出力される複数のＣ／Ｎのデータを相互に比較・判定するものとして説明した。しかし、上記制御部30が相互に比較・判定する複数のＣ／Ｎのデータとしては、上記検出部22から出力されるＣ／Ｎのデータをも同様の条件で取り込み、それらの中から最良のＣ／Ｎデータを選定して上記切替部21を作動させるようなものであってもよい。
従って、衛星放送信号を受信するアンテナからの信号は、第１アンテナ15ａを含む複数のアンテナ15ｂ・・・15ｎからの受信信号の内の、最良のものが第１アンテナの信号としてヘッドエンド９に出力されるものである。その結果、視聴者に対して多数のＣ／Ｎのデータの内の最良のデータに係る信号を選択して提供することができる。
次に、32ａ、32ｂ・・・・32ｎは、夫々切替部21における入力端（入力端子）を示す。切替部21は、広く知られているように接点21ｃを切替えることにより、入力端32ａ、32ｂ・・・・32ｎと出力端33が選択的に接続されるように構成してある。なお、常態においては、図３に示されるように、第１アンテナ15ａからの受信信号が入力される入力端32ａと出力端33が接続された状態になっている。
なお、図３において、６個所にアンテナを設置し、６系統の単位受信系統を備える例を示したが、アンテナの設置個所は必要に応じて任意の個所に増減設置すればよく、例えば地点Ａ、地点Ｂ、地点Ｃの３カ所に設置するものでもよい。
【００２６】
上記構成のものにおいて、切替手段20における制御部30の処理の一例を図４を用いて詳しく説明する。図４におけるS200〜S220、S250及びS260の処理は、上述した図２（Ｂ）におけるS100〜S120、S140及びS150の処理と同旨なので、重複する説明は省略する。
次に、第１アンテナ15ａの受信信号のＣ／Ｎが基準値ａ以下の場合（S220でYesの場合）は、第１アンテナ15a以外の第２アンテナ15ｂ、第Ｎアンテナ15ｎ等の夫々のアンテナからの受信信号のＣ／Ｎを取込む（S230）。次に、第２アンテナ15ｂ等からの多数の受信信号の内の最もＣ／Ｎが高い受信信号を上記ヘッドエンド９へ出力するように切替部21を切替える（S240）。具体的には、制御部23から最もＣ／Ｎが高い受信信号のアンテナ番号の制御信号を出力し、切替部21における接点21ｃを選択的に接続するように切替える。これにより、地点Ｂに備えた第２アンテナ15ｂ、地点Ｎに備えた第Ｎアンテナ15ｎ等からの複数の受信信号の内、最も良好なＣ／Ｎの状態の受信信号がヘッドエンド９に出力されることになる。
【００２７】
次に、第１アンテナ15ａからの受信信号のＣ／Ｎと基準値ｂを比較する（S250）。第１アンテナ15ａからの受信信号のＣ／Ｎが基準値ｂ以上でない場合（S250でNoの場合）は引続き上記S250の処理をくり返す。
このような処理により、第１アンテナ15ａからの信号のＣ／Ｎが不良な場合（降雨減衰によってＣ／Ｎが低下している間）は、第１アンテナ15ａの地点Ａとは気象条件が異なる離れた複数の地点Ｂ等に備えたアンテナからの受信信号の内の最も良好な信号が、ヘッドエンド９に出力され続けることになる。従って、上記ヘッドエンド９からは、第１アンテナからの受信信号と同一で、かつ品質が良好な衛星放送の信号が伝送されるので、ＣＡＴＶシステム１のエリア２の視聴者は、信号の供給を受けるヘッドエンド９の近くに設置された第１アンテナの設置地点Ａの集中豪雨で降雨減衰により信号のＣ／Ｎが低下した場合でも、引続いて品質の良い衛星放送を視聴することができる。
一方、第１アンテナ15ａからの受信信号のＣ／Ｎが基準値ｂ以上になった場合（S250でYesの場合）はS260へ進む。
【００２８】
次に、図５について説明する。図５は、第１アンテナ15ａで受信した受信信号に関し、これらの信号を２系統に分け、それら異なる系統について夫々Ｃ／Ｎを検出し、何れかのＣ／Ｎが低下した場合は、その低下を制御部43で判断して、第１アンテナ15ａの受信信号から第２アンテナ15ｂの受信信号に切替えて、Ｃ／Ｎの良い受信信号をヘッドエンド９へ入力しようとするものである。それによって、ヘッドエンド９から良質の信号を視聴者端末へ送出して、視聴者が品質の良い衛星放送を視聴できるようにするものである。
図５（Ａ）に示される構成は、図２のＣＡＴＶシステム１における切替手段20の内、検出部22と制御部23に係わる構成とは異なる構成を備えている切替手段20を示すＣＡＴＶシステム１を説明する為のものである。
なお、説明に当たって、第１単位受信系統２７ａ、第２単位受信系統２７ｂ、ヘッドエンド９、切替手段２１等の構成は、前述した図２に対応する構成、機能の点において同一視し得ると考えられるので、図２に用いた符号と同一の符号を付して図２とは重複する説明を省略する。
【００２９】
図５において、41ａは周知のバンドパスフィルタを示す。上記バンドパスフィルタ41ａは、第１アンテナ15ａで受信した受信信号の帯域の内の特定の帯域の信号を通過させるようにしてある。通過させる帯域としては、例えば第１アンテナ15ａで受信する受信信号が広帯域（ＢＳの全８チャンネル、1032〜1335MHz）の場合は、任意の４チャンネル分の帯域にすればよい。
次に、42ａは検出部を示す。検出部42ａは、上記バンドパスフィルタ41ａを通過して入力された受信信号のＣ／Ｎを検出し、その検出したＣ／Ｎのデータを後述の制御部43へ出力するようにしてある。
次に、バンドパスフィルタ41ｂと検出部42ｂは上記バンドパスフィルタ41ａ、検出部42ａと帯域を除き、同機能のものを示す。
なお、当然のことながらバンドパスフィルタ41ｂは、上記バンドパスフィルタ41ａとは異なる残された任意の帯域を通過させるようにしてある。
次に、43は周知のマイコンから構成されている制御部を示す。上記制御部43は、上記検出部42ａ、42ｂから夫々出力される受信信号Ｃ／Ｎのデータを取得し、それらと上記制御部43に予め設定されているＣ／Ｎの基準値とを比較・判定するようにしてある。さらに、この比較判定した結果に基づいて上記切替手段20における切替部21に対する制御信号を生成し、切替制御するようにしてある。
【００３０】
上記構成のものにおいて、切替手段20における制御部43の処理の一例を図５（Ｂ）を用いて詳しく説明する。なお、切替手段20における切替部21は初期状態（図５（Ａ）に示されるような状態）であるとする（S300）。よって、ヘッドエンド９の近くに設置してある第１アンテナ15ａで受信した衛星放送の信号がヘッドエンド９に出力される。
まず、上記検出部42ａ、42ｂから夫々出力される帯域分割された受信信号のＣ／Ｎデータを取込む（S310）。次に、上記検出部42ａ、42ｂからの受信信号のＣ／Ｎ夫々と基準値ａとを比較し、基準値ａ以下か否か判定する（S320）。上記受信信号のＣ／Ｎの何れも基準値ａ以下でない場合（S320でNoの場合）は、引続き上記S320の処理を繰返す。
このような処理により、第１アンテナ15ａからの信号のＣ／Ｎが良好な場合は、ヘッドエンド９の近くに設置した第１アンテナ15ａで受信した衛星放送の信号がヘッドエンドに出力され続ける。よって、上記ヘッドエンド９からは、良質な放送信号がＣＡＴＶシステム１のエリア２の端末装置へ伝送され続けるので、視聴者は品質のよい衛星放送を視聴できる。
【００３１】
一方、上記検出部42ａ、42ｂからの受信信号のＣ／Ｎの内、何れかが基準値ａ以下の場合（S320でYesの場合）は、切替手段20における切替部21を切替える（S330）。具体的には、制御部43から制御信号を出力し、切替部21における入力端25と出力端26とが接続するように切替える。これにより、第１アンテナ15ａの地点Ａとは気象条件が異なる離れた地点Ｂに備えた第２アンテナ15ｂからの受信信号がヘッドエンド９に出力される。
次に、上記検出部42ａ、42ｂからの受信信号のＣ／Ｎ夫々と基準値ｂとを比較し、上記検出部42ａ、42ｂからの受信信号のＣ／Ｎが、全て基準値ｂ以上か否か判定する（S340）。上記検出部42ａ、42ｂからの受信信号のＣ／Ｎの内、何れかのＣ／Ｎが基準値ｂ以上でない場合（S340でNoの場合）は、引続き上記S340の処理を繰返す。
このような処理により、第１アンテナ15ａからの信号のＣ／Ｎが不良な場合（降雨減衰によってＣ／Ｎが低下している間）は、第１アンテナ15ａの地点Ａとは気象条件が異なる離れた地点Ｂに備えた第２アンテナ15ｂからの受信信号が、ヘッドエンド９に出力され続けることになる。従って、上記ヘッドエンド９からは、第１アンテナからの受信信号と同一で、かつ品質が良好な衛星放送の信号が端末装置伝送されるので、ＣＡＴＶシステム１のエリア２の視聴者は、信号の供給を受けるヘッドエンド９の近くに設置された第１アンテナの設置地点Ａの集中豪雨で降雨減衰により信号のＣ／Ｎが低下した場合でも、引続いて品質の良い衛星放送を視聴することができる。
【００３２】
一方、上記検出部42ａ、42ｂからの受信信号のＣ／Ｎの全てが、基準値ｂ以上の場合（S340でYesの場合）は、S300に戻り、切替手段20における切替部21を図５（Ａ）に示される状態に切替える。ヘッドエンド９の近くに設置してある第１アンテナ15ａで受信した衛星放送の信号がヘッドエンド９に出力されることになる。
このように、上記S340で第１アンテナ15ａからの受信信号を監視し、第１アンテナの地点Ａにおける天候が回復して第１アンテナ15ａからの受信信号Ｃ／Ｎが回復した場合には、切替手段20における切替部21を切替えて、ヘッドエンド９近くの第１アンテナ15ａで受信した良質な衛星放送の信号がヘッドエンド９に出力されることになる。
【００３３】
上記構成によれば、第１アンテナから入ってきた受信信号が複数のチャンネル群に分けられるので、Ｃ／Ｎの変化を少なくなった各チャンネルについて高い確率で検出することできる。このようにすることにより、１つ１つのチャンネルにおける信号のＣ／Ｎの変化を高い確率で拾い上げ、それに基づき切替できる。第１アンテナ15ａの受信信号におけるいずれかのチャンネルのＣ／Ｎが悪くなっても、視聴者に送られる信号は、直ちに第２アンテナから良質なものを送れる特長がある。
なお、受信信号を分ける系統を２以上の系統に分けた場合、例えば第１アンテナ15ａに入力されるチャンネル数（８つ分の系統）に分けた場合は、各チャンネルについてより高い確率でＣ／Ｎの変化を検出することできる。それにより視聴者は、より高い確率で品質の良い衛星放送を視聴できるようになる。
【図面の簡単な説明】
【００３４】
【図１】ＣＡＴＶシステムの設置例を説明する為の概略図。
【図２】（Ａ）はＣＡＴＶシステムを説明する為の概略ブロック図、（Ｂ）はＣＡＴＶシステムにおける制御部の処理を説明する為のフローチャート、（Ｃ）は（Ｂ）とは一部異なる例を説明する為のフローチャート。
【図３】図２のＣＡＴＶシステムとは異なる例を説明する為の概略ブロック図。
【図４】図３のＣＡＴＶシステムにおける制御部の処理を説明する為のフローチャート
【図５】（Ａ）は図２のＣＡＴＶシステムとは異なる例を説明する為の概略ブロック図、（Ｂ）は（Ａ）のＣＡＴＶシステムにおける制御部の処理を説明する為のフローチャート。
【符号の説明】
【００３５】
１・・・ＣＡＴＶシステム、２・・・サービスエリア、３・・・山、４・・・河、５・・・建造物(ビル)、６・・・衛星（ＢＳ・ＣＳ）、９・・・ヘッドエンド、１１・・・伝送線、１２・・・光ファイバ、15ａ・・・第１アンテナ、15ｂ・・・第２アンテナ、15ｃ・・・第３アンテナ、１６・・・コンバーター、１７・・・分配器、１８・・・光送信機（Ｅ／Ｏ）、１９・・・光受信機（Ｏ／Ｅ）、２０・・・切替手段、２１・・・切替器、２２・・・検出部、２３・・・制御部、２４、２５・・・入力端、２６・・・出力端、３０・・・制御部、４１・・・バンドパスフィルタ
【図１】
2007181121.tif 000003
【図２】
2007181121.tif 000004
【図３】
2007181121.tif 000005
【図４】
2007181121.tif 000006
【図５】
2007181121.tif 000007